(57)【要約】【課題】取得された印刷媒体の表面の画像をグレースケールで見たときに、印刷媒体の表面に印刷された必要な印刷情報を読み取ることが可能なイメージスキャナを提供する。【解決手段】このイメージスキャナは、印刷媒体２に光を照射する光源と、光源から射出され印刷媒体２で反射された光を受光する受光部を備えている。印刷媒体２の表面には、印刷情報２ａと印刷情報２ｂとが印刷され、印刷情報２ａ、２ｂの背景部分２ｃの光の反射率と印刷情報２ａの光の反射率との差は、反射される光の波長が長くなると大きくなり、背景部分２ｃの光の反射率と印刷情報２ｂの光の反射率との差は、反射される光の波長が長くなると小さくなる。光源は、受光部での受光結果に基づいて生成される印刷媒体２の表面の画像をグレースケールで見たときに、印刷情報２ａ、２ｂが背景部分２ｃから識別可能となるように、可視光と赤外光とを混合した混合光を印刷媒体２に照射する。【選択図】図２
2014115686.tif 000002
【特許請求の範囲】
【請求項１】
印刷媒体の表面の画像を取得するための印刷媒体用のイメージスキャナにおいて、
前記印刷媒体に光を照射する光源と、前記光源から射出され前記印刷媒体で反射された光を受光する受光部とを備え、
前記印刷媒体の表面の所定の領域には、第１の印刷情報と第２の印刷情報とが印刷され、
前記第１の印刷情報および前記第２の印刷情報の背景部分の光の反射率と前記第１の印刷情報の光の反射率との差は、反射される光の波長が長くなると大きくなり、
前記背景部分の光の反射率と前記第２の印刷情報の光の反射率との差は、反射される光の波長が長くなると小さくなり、
前記光源は、前記受光部での受光結果に基づいて生成される前記印刷媒体の表面の画像をグレースケールで見たときに、前記第１の印刷情報および前記第２の印刷情報が前記背景部分から識別可能となるように、可視光と赤外光とを混合した混合光を前記印刷媒体に照射することを特徴とするイメージスキャナ。
【請求項２】
前記背景部分の可視光の反射率は、前記第２の印刷情報の可視光の反射率よりも前記第１の印刷情報の可視光の反射率に近くなっており、
前記背景部分の赤外光の反射率は、前記第１の印刷情報の赤外光の反射率よりも前記第２の印刷情報の赤外光の反射率に近くなっていることを特徴とする請求項１記載のイメージスキャナ。
【請求項３】
前記印刷媒体は、カードであり、
前記第１の印刷情報は、前記カードごとに固有の固有情報であり、
前記第２の印刷情報は、特定種類の前記カードに共通の共通情報であることを特徴とする請求項１または２記載のイメージスキャナ。
【請求項４】
前記第１の印刷情報は、赤外線を吸収する第１のインクによって印刷され、
前記第２の印刷情報は、前記第１のインクよりも赤外線を吸収しずらい、または、赤外線を吸収しない第２のインクによって印刷されていることを特徴とする請求項１から３のいずれかに記載のイメージスキャナ。
【請求項５】
前記第１のインクに含まれる炭素の含有量と、前記第２のインクに含まれる炭素の含有量とが異なっていることを特徴とする請求項４記載のイメージスキャナ。
【請求項６】
前記光源は、可視光を射出する複数の第１の発光ダイオードと、赤外光を射出する複数の第２の発光ダイオードと、複数の前記第１の発光ダイオードおよび前記第２の発光ダイオードが直線状に配列されて実装される基板とを備えることを特徴とする請求項１から５のいずれかに記載のイメージスキャナ。
【請求項７】
請求項１から６のいずれかに記載のイメージスキャナと、前記印刷媒体としてのカードが通過するカード通過路とを備えることを特徴とするカードリーダ。
【発明の詳細な説明】
【技術分野】
【０００１】
本発明は、印刷媒体の表面の画像を取得するための印刷媒体用のイメージスキャナ、および、このイメージスキャナを備えるカードリーダに関する。
【背景技術】
【０００２】
従来、カードの表面に形成される凸状のエンボス文字を読み取るためのエンボス読取装置が知られている（たとえば、特許文献１参照）。特許文献１に記載のエンボス読取装置は、カードに可視光を照射する発光ダイオードと、発光ダイオードから射出されカードで反射された光を受光するＣＣＤ（Ｃｈａｒｇｅ  Ｃｏｕｐｌｅｄ  Ｄｅｖｉｃｅ）イメージセンサとを備えている。
【０００３】
また、従来、光学式の文字読取装置等に使用される光学式スキャナが知られている（たとえば、特許文献２参照）。特許文献２に記載の光学式スキャナは、赤外領域の発光スペクトルを有する第１光源と、可視領域の発光スペクトルを有する第２光源と、第１光源および第２光源から射出され帳票で反射された反射光を受光する半導体センサとを備えている。この光学式スキャナでは、第１光源から射出される赤外光と、第２光源から射出される可視光との混合光が帳票に照射されている。また、この光学式スキャナでは、帳票上に印刷された読取対象外の文字や図形をドロップアウトさせるために、第１光源から射出される赤外光と、第２光源から射出される可視光との混合比が調整されている。
【先行技術文献】
【特許文献】
【０００４】
【特許文献１】特開２００２−７４２６０号公報
【特許文献２】特開２００１−１０９８４１号公報
【発明の概要】
【発明が解決しようとする課題】
【０００５】
金融機関等で使用されるカードでは、従来、カード番号やカード所有者の氏名等のカードごとに固有の情報（固有情報）は、エンボス文字によってカードの表面に形成されている。一方で、最近、金融機関等で使用されるカードとして、カード番号等の固有情報がインクによって表面に印刷されたカードも出回っている。また、固有情報がインクによって表面に印刷されたカードとして、特許文献１に記載のエンボス読取装置のように可視光をカードに照射する装置で取得されるカードの表面の画像をオペレータがグレースケールで見たときに、固有情報をカードの背景部分から識別することができないカード（すなわち、固有情報を読み取ることができないカード）が出回り始めている。そこで、本願発明者は、このようなカードの画像をグレースケールで見たときであっても、カードの固有情報を読み取るための方策を検討した。その結果、本願発明者は、赤外光を照射することで得られたカードの画像であれば、この画像をグレースケールで見たときであっても、カードの固有情報を背景部分から識別して読み取ることが可能になることを見出した。
【０００６】
一方、固有情報が印刷されているカードの中には、銀行名や所定のロゴ等の特定種類のカードに共通の情報（共通情報）がインクによって印刷されているカードがある。この共通情報は、一般に、可視光をカードに照射して得られるカードの画像をグレースケールで見たときに読み取ることができるようにカードの表面に印刷されており、たとえば、カードの画像を確認するオペレータが一目でカードの種類を見分けるために必要な情報である。しかしながら、本願発明者の検討によると、赤外光を照射することで得られたカードの画像をグレースケールで見たときに、共通情報を読み取ることができないカードが存在することが明らかになった。すなわち、本願発明者の検討によると、可視光を照射することで得られたカードの画像をグレースケールで見たときには、共通情報を読み取ることはできるが、固有情報を読み取ることができず、赤外光を照射することで得られたカードの画像をグレースケールで見たときには、固有情報を読み取ることはできるが、共通情報を読み取ることができないカードが存在することが明らかになった。
【０００７】
そこで、本発明の課題は、取得された印刷媒体の表面の画像をグレースケールで見たときに、印刷媒体の表面に印刷された必要な印刷情報を読み取ることが可能なイメージスキャナを提供することにある。また、本発明の課題は、かかるイメージスキャナを備えるカードリーダを提供することにある。
【課題を解決するための手段】
【０００８】
上記の課題を解決するため、本発明のイメージスキャナは、印刷媒体の表面の画像を取得するための印刷媒体用のイメージスキャナにおいて、印刷媒体に光を照射する光源と、光源から射出され印刷媒体で反射された光を受光する受光部とを備え、印刷媒体の表面の所定の領域には、第１の印刷情報と第２の印刷情報とが印刷され、第１の印刷情報および第２の印刷情報の背景部分の光の反射率と第１の印刷情報の光の反射率との差は、反射される光の波長が長くなると大きくなり、背景部分の光の反射率と第２の印刷情報の光の反射率との差は、反射される光の波長が長くなると小さくなり、光源は、受光部での受光結果に基づいて生成される印刷媒体の表面の画像をグレースケールで見たときに、第１の印刷情報および第２の印刷情報が背景部分から識別可能となるように、可視光と赤外光とを混合した混合光を印刷媒体に照射することを特徴とする。
【０００９】
本発明のイメージスキャナでは、光源は、受光部での受光結果に基づいて生成される印刷媒体の表面の画像をグレースケールで見たときに、第１の印刷情報および第２の印刷情報が背景部分から識別可能となるように、可視光と赤外光とを混合した混合光を印刷媒体に照射している。そのため、本発明では、取得された印刷媒体の画像をグレースケールで見たときに、反射される光の波長が長くなるとその光の反射率と背景部分の光の反射率との差が大きくなる第１の印刷情報、および、反射される光の波長が長くなるとその光の反射率と背景部分の光の反射率との差が小さくなる第２の印刷情報を背景部分から識別して読み取ることが可能になる。したがって、本発明では、取得された印刷媒体の表面の画像をグレースケールで見たときに、印刷媒体の表面に印刷された必要な印刷情報を読み取ることが可能になる。
【００１０】
本発明において、たとえば、背景部分の可視光の反射率は、第２の印刷情報の可視光の反射率よりも第１の印刷情報の可視光の反射率に近くなっており、背景部分の赤外光の反射率は、第１の印刷情報の赤外光の反射率よりも第２の印刷情報の赤外光の反射率に近くなっている。また、本発明において、たとえば、印刷媒体は、カードであり、第１の印刷情報は、カードごとに固有の固有情報であり、第２の印刷情報は、特定種類のカードに共通の共通情報である。
【００１１】
本発明において、たとえば、第１の印刷情報は、赤外線を吸収する第１のインクによって印刷され、第２の印刷情報は、第１のインクよりも赤外線を吸収しずらい、または、赤外線を吸収しない第２のインクによって印刷されている。この場合には、たとえば、第１のインクに含まれる炭素の含有量と、第２のインクに含まれる炭素の含有量とが異なっている。
【００１２】
本発明において、たとえば、光源は、可視光を射出する複数の第１の発光ダイオードと、赤外光を射出する複数の第２の発光ダイオードと、複数の第１の発光ダイオードおよび第２の発光ダイオードが直線状に配列されて実装される基板とを備えている。この場合には、第１の発光ダイオードと第２の発光ダイオードとが共通の基板に実装されるため、光源の構成を簡素化することが可能になる。
【００１３】
本発明のイメージスキャナは、印刷媒体としてのカードが通過するカード通過路を備えるカードリーダに用いることができる。このカードリーダでは、取得されたカードの表面の画像をグレースケールで見たときに、カードの表面に印刷された必要な印刷情報を読み取ることが可能になる。
【発明の効果】
【００１４】
以上のように、本発明のイメージスキャナでは、取得された印刷媒体の表面の画像をグレースケールで見たときに、印刷媒体の表面に印刷された必要な印刷情報を読み取ることが可能になる。また、本発明のカードリーダでは、取得されたカードの表面の画像をグレースケールで見たときに、カードの表面に印刷された必要な印刷情報を読み取ることが可能になる。
【図面の簡単な説明】
【００１５】
【図１】本発明の実施の形態にかかるカードリーダの概略構成を側面から説明するための図である。
【図２】図１に示すカードの平面図である。
【図３】図１に示すイメージスキャナの構成を側面から説明するための図である。
【図４】図３に示す光源の構成を正面から説明するための図である。
【図５】（Ａ）は、図２に示すカードに可視光のみを照射したときに受光部での受光結果に基づいて生成されるカードの表面の画像をグレースケールで見たときの状態を説明するための図であり、（Ｂ）は、図２に示すカードに赤外光のみを照射したときに受光部での受光結果に基づいて生成されるカードの表面の画像をグレースケールで見たときの状態を説明するための図である。
【発明を実施するための形態】
【００１６】
以下、図面を参照しながら、本発明の実施の形態を説明する。
【００１７】
（カードリーダの概略構成）
図１は、本発明の実施の形態にかかるカードリーダ１の概略構成を側面から説明するための図である。本形態のカードリーダ１は、金融機関で使用されるカード２に記録された情報の読取りやカード２への情報の書込みを行うための装置であり、ＡＴＭ（Ａｕｔｏｍａｔｅｄ  Ｔｅｌｌｅｒ  Ｍａｃｈｉｎｅ）等の上位装置に搭載されて使用される。
【００１８】
このカードリーダ１は、図１に示すように、カード２の挿入口３から挿入されたカード２を搬送する搬送ローラ５〜７と、カード２の表面の画像を取得するためのイメージスキャナ９とを備えている。また、カードリーダ１は、カード２に記録された磁気データの読取りやカード２への磁気データの書込みを行うための磁気ヘッド（図示省略）、および、カード２に記録されたデータの読取りやカード２へのデータの書込みを行うためのＩＣブロック（図示省略）等を備えている。カードリーダ１の内部には、カード２が搬送されるカード搬送路１０が形成されている。本形態のカード２は、印刷媒体である。また、本形態のカード搬送路１０は、カード２が通過するカード通過路である。
【００１９】
搬送ローラ５〜７は、たとえば、カード搬送路１０の上側からカード搬送路１０に臨むように配置されている。搬送ローラ５〜７のそれぞれには、パッドローラ１１〜１３が対向配置されている。パッドローラ１１〜１３は、搬送ローラ５〜７の下側で搬送ローラ５〜７に対向するとともに、搬送ローラ５〜７に向かって付勢されている。イメージスキャナ９は、たとえば、カード搬送路１０の上側からカード搬送路１０に臨むように配置されている。イメージスキャナ９の具体的な構成については後述する。
【００２０】
（カードの構成）
図２は、図１に示すカード２の平面図である。カード２は、たとえば、厚さが０．７〜０．８ｍｍ程度の塩化ビニール製のカードである。カード２には、たとえば、磁気データが記録される磁気ストライプが形成されている。また、カード２には、たとえば、ＩＣチップが内蔵されており、カード２の表面には、図示を省略するＩＣチップの外部接続端子が形成されている。また、図２に示すように、カード２の表面の所定の領域には、第１の印刷情報としての印刷情報２ａと、第２の印刷情報としての印刷情報２ｂとが印刷されている。
【００２１】
印刷情報２ａは、カード２ごとに固有の固有情報である。たとえば、印刷情報２ａは、カード番号を示す数字列「１２３４５６７８９」である。印刷情報２ｂは、特定種類のカード２に共通の共通情報である。たとえば、印刷情報２ｂは、銀行名を表す文字列「ＳＡＮＫＹＯ  ＢＡＮＫ」とカード２の種類を表す文字列「ＣＡＳＨ  ＣＡＲＤ」とによって構成されている。
【００２２】
印刷情報２ａは、赤外線を吸収する（赤外線の吸収性を有する）インク（第１のインク）によって印刷されている。具体的には、印刷情報２ａは、炭素を含む顔料系のインクによって印刷されている。本形態では、印刷情報２ａは、黒色のインクによって印刷されている。印刷情報２ｂは、第１のインクよりも赤外線を吸収しずらい（赤外線の吸収性の低い）、または、赤外線を吸収しない（赤外線の吸収性を有さない）インク（第２のインク）によって印刷されている。すなわち、印刷情報２ｂは、第１のインクよりも炭素の含有量の少ない、または、炭素を含まない顔料系のインクによって印刷されており、第１のインクに含まれる炭素の含有量と、第２のインクに含まれる炭素の含有量とが異なっている。本形態では、印刷情報２ｂは、白色のインクによって印刷されている。また、印刷情報２ａおよび印刷情報２ｂの背景部分（図２の斜線が施された部分）２ｃは、比較的濃い色の顔料系のインクによって印刷されている。本形態では、背景部分２ｃは、緑色のインクによって印刷されている。また、本形態では、背景部分２ｃに、濃淡が相違する複数種類の緑色からなる所定の模様が描かれている。なお、背景部分２ｃは、単一の色に印刷されても良い。
【００２３】
本形態では、背景部分２ｃの光の反射率と印刷情報２ａの光の反射率との差は、反射される光の波長が長くなると大きくなる。一方、背景部分２ｃの光の反射率と印刷情報２ｂの光の反射率との差は、反射される光の波長が長くなると小さくなる。また、背景部分２ｃの可視光の反射率は、印刷情報２ｂの可視光の反射率よりも印刷情報２ａの可視光の反射率に近くなっている。すなわち、背景部分２ｃの可視光の吸収率は、印刷情報２ｂの可視光の吸収率よりも印刷情報２ａの可視光の吸収率に近くなっている。また、背景部分２ｃの赤外光の反射率は、印刷情報２ａの赤外光の反射率よりも印刷情報２ｂの赤外光の反射率に近くなっている。すなわち、背景部分２ｃの赤外光の吸収率は、印刷情報２ａの赤外光の吸収率よりも印刷情報２ｂの赤外光の吸収率に近くなっている。
【００２４】
（イメージスキャナの構成）
図３は、図１に示すイメージスキャナ９の構成を側面から説明するための図である。図４は、図３に示す光源１７の構成を正面から説明するための図である。図５（Ａ）は、図２に示すカード２に可視光のみを照射したときに受光部１８での受光結果に基づいて生成されるカード２の表面の画像をグレースケールで見たときの状態を説明するための図であり、図５（Ｂ）は、図２に示すカード２に赤外光のみを照射したときに受光部１８での受光結果に基づいて生成されるカード２の表面の画像をグレースケールで見たときの状態を説明するための図である。
【００２５】
イメージスキャナ９は、カード２に光を照射する光源１７と、光源１７から射出されカード２で反射された光を受光する受光部１８とを備えている。光源１７および受光部１８は、イメージスキャナ９の筺体１９の内部に配置されている。受光部１８は、ＣＣＤあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子２１と、カード２の表面の像を撮像素子２１に結像させるレンズ２２と、カード２で反射された光をレンズ２２に向かってさらに反射させるミラー２３とを備えている。
【００２６】
光源１７は、図４に示すように、可視光である白色光を射出する第１の発光ダイオードとしての複数のＬＥＤ（Ｌｉｇｈｔ  Ｅｍｉｔｔｉｎｇ  Ｄｉｏｄｅ）２６と、赤外光を射出する第２の発光ダイオードとしての複数のＬＥＤ２７と、複数のＬＥＤ２６、２７が実装される基板２８とを備えている。複数のＬＥＤ２６、２７は、カード２の搬送方向に直交するカード２の幅方向において直線状に配列されている。また、カード２の幅方向の両端側では、ＬＥＤ２６が所定の間隔で直線状に配列され、カード２の幅方向の両端側を除いた部分では、ＬＥＤ２６とＬＥＤ２７とが交互に所定の間隔で配列されている。
【００２７】
本形態では、光源１７からカード２に照射される光の入射角θ１と、ミラー２３およびレンズ２２を介して撮像素子２１に入射する反射光の、カード２での反射角θ２とが等しくなるように、光源１７、撮像素子２１、レンズ２２およびミラー２３が配置されている。
【００２８】
上述のように、カード２の印刷情報２ａは、炭素を含む顔料系の第１のインクによって印刷され、印刷情報２ｂは、第１のインクよりも炭素の含有量が少ない、または、炭素を含まない顔料系の第２のインクによって印刷されている。また、背景部分２ｃの可視光の反射率は、印刷情報２ｂの可視光の反射率よりも印刷情報２ａの可視光の反射率に近くなっている。本形態では、カード２に可視光のみを照射したときに受光部１８での受光結果に基づいて生成されるカード２の表面の画像をオペレータがグレースケールで見ると、図５（Ａ）に示すように、印刷情報２ｂを背景部分２ｃから識別することはできるが、印刷情報２ａを背景部分２ｃから識別することができない。すなわち、カード２に可視光のみを照射したときに受光部１８での受光結果に基づいて生成されるカード２の表面の画像をグレースケールで見ると、印刷情報２ｂを読み取ることはできるが、印刷情報２ａを読み取ることができない。
【００２９】
一方で、背景部分２ｃの赤外光の反射率は、印刷情報２ａの赤外光の反射率よりも印刷情報２ｂの赤外光の反射率に近くなっており、本形態では、カード２に赤外光のみを照射したときに受光部１８での受光結果に基づいて生成されるカード２の表面の画像をオペレータがグレースケールで見ると、図５（Ｂ）に示すように、印刷情報２ａを背景部分２ｃから識別することはできるが、印刷情報２ｂを背景部分２ｃから識別することはできない。すなわち、カード２に赤外光のみを照射したときに受光部１８での受光結果に基づいて生成されるカード２の表面の画像をグレースケールで見ると、印刷情報２ａを読み取ることはできるが、印刷情報２ｂを読み取ることができない。
【００３０】
そこで、本形態では、受光部１８での受光結果に基づいて生成されるカード２の表面の画像をグレースケールで見たときに、印刷情報２ａおよび印刷情報２ｂが背景部分２ｃから識別可能となるように（すなわち、印刷情報２ａおよび印刷情報２ｂの両者を読み取ることができるように）、光源１７は、可視光と赤外光とを混合した混合光をカード２に照射している。なお、印刷情報２ａおよび印刷情報２ｂが背景部分２ｃから識別可能となるように、可視光と赤外光とを混合した混合光を光源１７がカード２に照射する場合に、受光部１８での受光結果に基づいて生成されるカード２の画像をグレースケールで見ると、印刷情報２ａ、２ｂは、図２に示す状態よりもぼやけて見える。
【００３１】
可視光と赤外光との混合比率は、図２に示すカード２以外のカードリーダ１で処理可能なカードであって、カードリーダ１が使用される市場に出回るカードも考慮して設定される。すなわち、光源１７から照射されこのカードで反射された反射光の、受光部１８での受光結果に基づいて生成されるこのカードの表面の画像をグレースケールで見たときに、このカードの表面に印刷された必要な情報も読み取ることができるように、可視光と赤外光との混合比率が設定される。たとえば、本形態では、赤外光の比率が４０％〜８０％となる混合光がカード２に照射されたときに、印刷情報２ａおよび印刷情報２ｂを背景部分２ｃから識別することが可能となっており、混合光に対する赤外光の比率は、４０％〜８０％の間であって、かつ、カードリーダ１が使用される市場に出回る他のカードの表面に印刷された必要な情報を読み取ることができる範囲に設定される。
【００３２】
また、可視光と赤外光との混合比率は、カードリーダ１の製造工程で調整されて設定される。また、可視光と赤外光との混合比率は、官能評価に基づいて設定される。たとえば、可視光と赤外光との混合比率は、３０人中１５人以上が、印刷情報２ａおよび印刷情報２ｂの両者を読み取ることができる範囲であって、かつ、カードリーダ１が使用される市場に出回る他のカードの表面に印刷された必要な情報を読み取ることができる範囲に設定される。
【００３３】
（本形態の主な効果）
以上説明したように、本形態では、受光部１８での受光結果に基づいて生成されるカード２の表面の画像をグレースケールで見たときに、印刷情報２ａおよび印刷情報２ｂが背景部分２ｃから識別可能となるように、光源１７は、可視光と赤外光とを混合した混合光をカード２に照射している。そのため、本形態では、取得されたカード２の画像をグレースケールで見たときに、反射される光の波長が長くなるとその光の反射率と背景部分２ｃの光の反射率との差が大きくなるとともに可視光の反射率が背景部分２ｃの可視光の反射率に近い印刷情報２ａ、および、反射される光の波長が長くなるとその光の反射率と背景部分２ｃの光の反射率との差が小さくなるとともに赤外光の反射率が背景部分２ｃの赤外光の反射率に近い印刷情報２ｂを背景部分２ｃから識別して読み取ることができる。すなわち、本形態では、取得されたカード２の表面の画像をグレースケールで見たときに、カード２の表面に印刷された必要な印刷情報を読み取ることができる。
【００３４】
また、本形態では、可視光と赤外光との混合比率が、カードリーダ１が使用される市場に出回る他のカードの表面に印刷された必要な情報も読み取ることができる範囲に設定されるため、このカードの表面に印刷された必要な情報も読み取ることができる。
【００３５】
本形態では、ＬＥＤ２６とＬＥＤ２７とが共通の基板２８に実装されている。そのため、本形態では、光源１７の構成を簡素化することが可能になる。
【００３６】
（他の実施の形態）
上述した形態は、本発明の好適な形態の一例ではあるが、これに限定されるものではなく本発明の要旨を変更しない範囲において種々変形実施が可能である。
【００３７】
上述した形態では、背景部分２ｃの可視光の反射率は、印刷情報２ｂの可視光の反射率よりも印刷情報２ａの可視光の反射率に近くなっている。この他にもたとえば、背景部分２ｃの可視光の反射率は、印刷情報２ａの可視光の反射率よりも印刷情報２ｂの可視光の反射率に近くなっていても良いし、背景部分２ｃの可視光の反射率と印刷情報２ａの可視光の反射率との差と、背景部分２ｃの可視光の反射率と印刷情報２ｂの可視光の反射率との差とが等しくなっていても良い。
【００３８】
上述した形態では、印刷情報２ａは、カード２ごとに固有の固有情報であり、印刷情報２ｂは、特定種類のカード２に共通の共通情報である。この他にもたとえば、印刷情報２ａが共通情報であり、印刷情報２ｂが固有情報であっても良い。また、上述した形態では、印刷情報２ａ、２ｂおよび背景部分２ｃは、顔料系のインクで印刷されているが、印刷情報２ａ、２ｂおよび背景部分２ｃは、染料系のインクで印刷されても良い。また、上述した形態では、印刷情報２ａは、数字列であるが、印刷情報２ａは、文字列や、複数の記号からなる記号列であっても良いし、所定のロゴや図形であっても良い。同様に、上述した形態では、印刷情報２ｂは、文字列であるが、印刷情報２ｂは、数字列や記号列であっても良いし、所定のロゴや図形であっても良い。
【００３９】
上述した形態では、ＬＥＤ２６は、白色光を射出している。この他にもたとえば、ＬＥＤ２６は、赤色光、緑色光、青色光等の白色光以外の可視光を射出しても良い。また、上述した形態では、ＬＥＤ２６とＬＥＤ２７とが共通の基板２８に実装されているが、ＬＥＤ２６が実装される基板と、ＬＥＤ２７が実装される基板とが別個に設けられても良い。また、ＬＥＤ２６からの可視光とＬＥＤ２７からの赤外光とを導光して、カード２に向かって射出するライドガイドが設けられても良い。また、上述した形態では、光源１７は、ＬＥＤ２６、２７を備えているが、光源１７は、ＬＥＤ２６、２７に代えて、可視光を射出するＬＥＤ２６以外の光源と、赤外光を射出するＬＥＤ２７以外の光源とを備えていても良い。
【００４０】
上述した形態では、カード２は、厚さが０．７〜０．８ｍｍ程度の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カードであっても良い。また、上述した形態では、カード２は金融機関で使用されるカードであるが、カード２は金融機関以外で使用されるカードであっても良い。また、上述した形態では、イメージスキャナ９で画像が読み取られる印刷媒体は、カード２であるが、イメージスキャナ９で画像が読み取られる印刷媒体は、たとえば、銀行等の金融機関が発行する小切手、手形または証券等の他の印刷媒体であっても良い。
【００４１】
上述した形態では、カードリーダ１は、搬送ローラ５〜７を備えるカード搬送式のカードリーダであるが、カードリーダ１は、手動式のカードリーダであっても良い。また、上述した形態では、イメージスキャナ９は、カードリーダ１に搭載されているが、本発明の構成が適用されるイメージスキャナは、コピー機のように印刷媒体をガラス台に固定し、下から光を当てて印刷媒体の画像を読み取るいわゆるフラットベッドスキャナであっても良い。
【符号の説明】
【００４２】
１  カードリーダ
２  カード（印刷媒体）
２ａ  印刷情報（第１の印刷情報）
２ｂ  印刷情報（第２の印刷情報）
２ｃ  背景部分
９  イメージスキャナ
１７  光源
１８  受光部
２６  ＬＥＤ（第１の発光ダイオード）
２７  ＬＥＤ（第２の発光ダイオード）
２８  基板
【図１】
2014115686.tif 000003
【図２】
2014115686.tif 000004
【図３】
2014115686.tif 000005
【図４】
2014115686.tif 000006
【図５】
2014115686.tif 000007